(57)【要約】【課題】２つ以上のパルス整形フィルターを使用する無線送信のための方法および装置が開示される。【解決手段】ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）およびネットワーク・エンティティは、狭帯域パルス整形フィルター、広帯域パルス整形フィルター、または両方を利用する能力がある。ネットワーク・エンティティおよび／またはＷＴＲＵは、使用されるべきパルス整形フィルターを選択し、そしてその選択を信号方式により送信する。この信号方式は、レイヤー２／３のメッセージを通して、またはＮＡＳ（Ｎｏｎ−Ａｃｃｅｓｓ  Ｓｔｒａｔｕｍ：非アクセス・ストレータム）信号方式メッセージを使用することにより実行することができる。【選択図】図５
2014168302.tif 000002
【特許請求の範囲】
【請求項１】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＥＧＰＲＳ−２（Ｅｎｈａｎｃｅｄ  Ｇｅｎｅｒａｌ  Ｐａｃｋｅｔ  Ｒａｄｉｏ  Ｓｅｒｖｉｃｅｓ  ２）ネットワーク中のネットワークノードにおいて使用される方法であって、
前記ＧＳＭ／ＥＧＰＲＳ−２ネットワーク中の前記ネットワークノードが、割り付けメッセージをＷＴＲＵ（無線送受信ユニット）に送信するステップであって、前記割り付けメッセージはパルス形体ＩＥ（情報要素）を含み、前記パルス形体ＩＥは、
狭帯域パルス形体または広帯域パルス形体であるパルス形体と、
前記ＷＴＲＵが前記パルス形体を使用して通信しうる周波数と、
を示す、ステップと、
前記ネットワークノードが、前記周波数および前記パルス形体において前記ＷＴＲＵからデータを受信するステップと、
を含む方法。
【請求項２】
前記パルス形体は、前記パルス形体ＩＥが前記割り付けメッセージ中に存在しない時に、黙示的に示されることを特徴とする請求項１に記載の方法。
【請求項３】
前記割り付けメッセージは、ＲＬＣ／ＭＡＣ（Ｒａｄｉｏ  Ｌｉｎｋ  Ｃｏｎｔｒｏｌ／Ｍｅｄｉｕｍ  Ａｃｃｅｓｓ  Ｃｏｎｔｒｏｌ）メッセージであることを特徴とする請求項１に記載の方法。
【請求項４】
前記割り付けメッセージは、ＴＢＦ（Ｔｅｍｐｏｒａｒｙ  Ｂｌｏｃｋ  Ｆｌｏｗ）配分メッセージである請求項１に記載の方法。
【請求項５】
前記割り付けメッセージは、ＰＡＣＫＥＴ  ＵＰＬＩＮＫ  ＡＳＳＩＧＮＭＥＮＴ（パケット・アップリンク割り付け）、ＭＵＬＴＩＰＬＥ  ＴＢＦ  ＵＰＬＩＮＫ  ＡＳＳＩＧＮＭＥＮＴ（多ＴＢＦアップリンク割り付け）、ＰＡＣＫＥＴ  ＴＩＭＥＳＬＯＴ  ＲＥＣＯＮＦＩＧＵＲＥ（パケット・タイムスロット再構成）、ＭＵＬＴＩＰＬＥ  ＴＢＦ  ＴＩＭＥＳＬＯＴ  ＲＥＣＯＮＦＩＧＵＲＥ（多ＴＢＦタイムスロット再構成）、またはＰＡＣＫＥＴ  ＣＳ  ＲＥＬＥＡＳＥ  ＩＮＤＩＣＡＴＩＯＮ（パケットＣＳ解放表示）メッセージであることを特徴とする請求項１に記載の方法。
【請求項６】
前記ＷＴＲＵから、前記ＷＴＲＵによって支援されるパルス形体を示すＷＴＲＵ能力（Ｃａｐａｂｉｌｉｔｙ）ＩＥを含む添付要求メッセージを受信するステップをさらに含むことを特徴とする請求項１に記載の方法。
【請求項７】
前記ＷＴＲＵ能力ＩＥは、ＭＳ  ＲＡＣ（Ｒａｄｉｏ  Ａｃｃｅｓｓ  Ｃａｐａｂｉｌｉｔｙ）ＩＥであることを特徴とする請求項６に記載の方法。
【請求項８】
前記ネットワークノードが、前記ＷＴＲＵ能力ＩＥに、少なくとも部分的に基づいて、前記パルス形体および前記周波数を選択するステップをさらに含むことを特徴とする請求項６に記載の方法。
【請求項９】
前記ネットワークノードは、基地局および基地局制御装置のうちの少なくとも１つであることを特徴とする請求項１に記載の方法。
【請求項１０】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＥＧＰＲＳ−２（Ｅｎｈａｎｃｅｄ  Ｇｅｎｅｒａｌ  Ｐａｃｋｅｔ  Ｒａｄｉｏ  Ｓｅｒｖｉｃｅｓ  ２）無線ネットワーク中のネットワークノードであって、
割り付けメッセージをＷＴＲＵ（無線送受信ユニット）に送信するように構成された送信機であって、前記割り付けメッセージはパルス形体ＩＥ（情報要素）を含み、前記パルス形体ＩＥは、
狭帯域パルス形体または広帯域パルス形体であるパルス形体と、
前記ＷＴＲＵが前記パルス形体を使用して通信しうる周波数と、
を示す、送信機と、
前記周波数および前記パルス形体において前記ＷＴＲＵからデータを受信するように構成された受信機と、
を備えることを特徴とするネットワークノード。
【請求項１１】
前記パルス形体は、前記パルス形体ＩＥが前記割り付けメッセージ中に存在しない時に、黙示的に示されることを特徴とする請求項１０に記載のネットワークノード。
【請求項１２】
前記割り付けメッセージは、ＲＬＣ／ＭＡＣ（Ｒａｄｉｏ  Ｌｉｎｋ  Ｃｏｎｔｒｏｌ／Ｍｅｄｉｕｍ  Ａｃｃｅｓｓ  Ｃｏｎｔｒｏｌ）メッセージであることを特徴とする請求項１０に記載のネットワークノード。
【請求項１３】
前記割り付けメッセージは、ＴＢＦ（Ｔｅｍｐｏｒａｒｙ  Ｂｌｏｃｋ  Ｆｌｏｗ）配分メッセージである請求項１０に記載のネットワークノード。
【請求項１４】
前記割り付けメッセージは、ＰＡＣＫＥＴ  ＵＰＬＩＮＫ  ＡＳＳＩＧＮＭＥＮＴ（パケット・アップリンク割り付け）、ＭＵＬＴＩＰＬＥ  ＴＢＦ  ＵＰＬＩＮＫ  ＡＳＳＩＧＮＭＥＮＴ（多ＴＢＦアップリンク割り付け）、ＰＡＣＫＥＴ  ＴＩＭＥＳＬＯＴ  ＲＥＣＯＮＦＩＧＵＲＥ（パケット・タイムスロット再構成）、ＭＵＬＴＩＰＬＥ  ＴＢＦ  ＴＩＭＥＳＬＯＴ  ＲＥＣＯＮＦＩＧＵＲＥ（多ＴＢＦタイムスロット再構成）、またはＰＡＣＫＥＴ  ＣＳ  ＲＥＬＥＡＳＥ  ＩＮＤＩＣＡＴＩＯＮ（パケットＣＳ解放表示）メッセージであることを特徴とする請求項１０に記載のネットワークノード。
【請求項１５】
前記受信機は、前記ＷＴＲＵから、前記ＷＴＲＵによって支援されるパルス形体を示すＷＴＲＵ能力（Ｃａｐａｂｉｌｉｔｙ）ＩＥを含む添付要求メッセージを受信するようにさらに構成されたことを特徴とする請求項１０に記載のネットワークノード。
【請求項１６】
前記ＷＴＲＵ能力ＩＥは、ＭＳ  ＲＡＣ（Ｒａｄｉｏ  Ａｃｃｅｓｓ  Ｃａｐａｂｉｌｉｔｙ）ＩＥであることを特徴とする請求項１５に記載のネットワークノード。
【請求項１７】
前記ＷＴＲＵ能力ＩＥに、少なくとも部分的に基づいて、前記パルス形体および前記周波数を選択するように構成されたプロセッサをさらに備えることを特徴とする請求項１５に記載のネットワークノード。
【請求項１８】
前記ネットワークノードは、基地局および基地局制御装置のうちの少なくとも１つであることを特徴とする請求項１０に記載のネットワークノード。
【発明の詳細な説明】
【技術分野】
【０００１】
本発明は無線通信システムに関する。
【背景技術】
【０００２】
ＥＧＰＲＳ（Ｅｎｈａｎｃｅｄ  Ｇｅｎｅｒａｌ  Ｐａｃｋｅｔ  Ｒａｄｉｏ  Ｓｅｒｖｉｃｅｓ：拡張一般パケット無線サービス）の現状の設計において、ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）およびＢＳＳ（Ｂａｓｅ  Ｓｔａｔｉｏｎ  Ｓｙｓｔｅｍ：基地局システム）の間の信号の送信および受信は、２７１ｋシンボル／秒（ｋＳｐｓ）の信号方式シンボル・レートを使用して２００ＫＨｚ幅の基本周波数チャンネル上にて為される。
【０００３】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ：移動通信用グローバル・システム）Ｒ７（リリース７）は、送信の待ち時間を減少させるためとともに、ＵＬ（ＵｐＬｉｎｋ：アップリンク）およびＤＬ（ＤｏｗｎＬｉｎｋ：ダウンリンク）におけるスループットを改良するための、いくつかの機能を導入する。ＧＳＭ  Ｒ７は、このうちＤＬおよびＵＬに対するスループットを改良するためにＥＧＰＲＳ−２を導入することになる。ＤＬにおけるＥＧＰＲＳ−２スループット改良は、ＲＥＤＨＯＴ（ＲＥｄｕｃｅｄ  ｓｙｍｂｏｌ  Ｄｕｒａｔｉｏｎ  Ｈｉｇｈｅｒ  Ｏｒｄｅｒ  ｍｏｄｕｌａｔｉｏｎ  ａｎｄ  Ｔｕｒｂｏ  ｃｏｄｉｎｇ）として知られ、そしてＵＬに対する改良はＨＵＧＥ（Ｈｉｇｈｅｒ  Ｕｐｌｉｎｋ  ｐｅｒｆｏｒｍａｎｃｅ  ｆｏｒ  ＧＥＲＡＮ  Ｅｖｏｌｕｔｉｏｎ）機能として知られる。ＥＧＰＲＳ−２  ＤＬおよびＲＥＤＨＯＴは同義である。
【０００４】
ＧＭＳＫ（Ｇａｕｓｓｉａｎ  Ｍｉｎｉｍｕｍ  Ｓｈｉｆｔ  Ｋｅｙｉｎｇ：ガウス最小偏移変調）（ＭＣＳ−１〜ＭＣＳ−４）および８ＰＳＫ（８Ｐｈａｓｅ−Ｓｈｉｆｔ  Ｋｅｙｉｎｇ：８相位相）変調（ＭＣＳ−５〜ＭＣＳ−９）に基づく従来のＥＧＰＲＳ（Ｅｎｈａｎｃｅｄ  Ｇｅｎｅｒａｌ  Ｐａｃｋｅｔ  Ｒａｄｉｏ  Ｓｅｒｖｉｃｅ：拡張一般パケット無線サービス）ＭＣＳ（Ｍｏｄｕｌａｔｉｏｎ  ａｎｄ  Ｃｏｄｉｎｇ  Ｓｃｈｅｍｅｓ：変調および符号化方式）に加えて、ＲＥＤＨＯＴは、ＱＰＳＫ（Ｑｕａｄｒａｔｕｒｅ  ＰＳＫ：４相位相変調）、１６ＱＡＭ（１６Ｑｕａｄｒａｔｕｒｅ  Ａｍｐｌｉｔｕｄｅ  Ｍｏｄｕｌａｔｉｏｎ：１６値直交振幅変調）、および３２ＱＡＭ変調を使用することになる。スループット改良のための別の技法はＴｕｒｂｏ（ターボ）符号化の使用である（ＥＧＰＲＳによるＣｏｎｖｏｌｕｔｉｏｎａｌ  Ｃｏｄｉｎｇ（畳み込み符号化）と対照的に）。その上、ＥＧＰＲＳに対してＨＳＲ（Ｈｉｇｈｅｒ  Ｓｙｍｂｏｌ  Ｒａｔｅ：高速のシンボル・レート）で動作することは、もう一つの改良である。ＨＳＲ送信においては、バーストは、従来の送信レート２７１ｋＳｐｓ（以下ＬＳＲ（Ｌｏｗ  ｏｒ  Ｌｅｇａｃｙ  Ｓｙｍｂｏｌ  Ｒａｔｅ：低速または従来のシンボル・レート）と称する）ではなく、３２５ｋＳｐｓの提案信号方式レートにて送信される。ＨＵＧＥはＧＥＲＡＮに対する対応するＵＬ（ＵｐＬｉｎｋ：アップリンク）の拡張機能であり、そしてＲＥＤＨＯＴと類似している。
【０００５】
ＲＥＤＨＯＴおよび／またはＨＵＧＥを支援するネットワークおよび／またはＷＴＲＵ（Ｗｉｒｅｌｅｓｓ  Ｔｒａｎｓｍｉｔ／Ｒｅｃｅｉｖｅ  Ｕｎｉｔ：無線送受信ユニット）（すなわちＭＳ（Ｍｏｂｉｌｅ  Ｓｔａｔｉｏｎ：移動局））は、ＲＨ−Ａ（ＲＥＤＨＯＴのレベルＡ）またはＲＨ−Ｂ（ＲＥＤＨＯＴのレベルＢ）、ならびに／もしくはＨＵＧＥ−Ａ、ＨＵＧＥ−Ｂ、およびＨＵＧＥ−Ｃの何れかを実施することが可能である。ＲＨ−Ｂを実施するＷＴＲＵは、ＲＥＤＨＯＴに対して定義された性能を改良する機能の集合の全体を使用することによって最大のスループット利得を獲得するはずであるが、改良技法の内の選択された部分集合を実施するＲＨ−Ａ  ＷＴＲＵでも、従来のＥＧＰＲＳに対して実質的改良を達成するであろう。ＲＨ−Ａ解決法はまた、完全なＲＨ−Ｂ実施方法より実施がより容易であろう。
【０００６】
より詳細にはＲＨ−Ａは、８ＰＳＫ、１６ＱＡＭ、および３２ＱＡＭ変調を使用する８式の新しいＭＣＳを実施するであろう。これらは、ＤＡＳ（Ｄｏｗｎｌｉｎｋ  ｌｅｖｅｌ  Ａ  ＭＣＳ：ダウンリンク・レベルＡ  ＭＣＳ）−５〜ＤＡＳ−１２と呼ばれる。ＲＨ−Ｂは、ＱＰＳＫ、１６ＱＡＭ、および３２ＱＡＭ変調に基づく別の８式の新しいＭＣＳを実施するであろう。これらは、ＤＢＳ（Ｄｏｗｎｌｉｎｋ  ｌｅｖｅｌ  Ｂ  ＭＣＳ：ダウンリンク・レベルＢ  ＭＣＳ）−５〜ＤＢＳ−１２と呼ばれる。従来のＥＧＰＲＳと異なり、ＲＨ−ＡおよびＲＨ−Ｂの両方は、無線ブロックのデータ部分に対してターボ符号化を使用する。リンク適合目的のために、ＲＨ−ＡおよびＲＨ−Ｂ  ＷＴＲＵの両方が、従来のＥＧＰＲＳ  ＭＣＳ−１〜ＭＣＳ−４（すべてＧＭＳＫ変調に基づく）を再利用するであろう。加えてＲＨ−Ａはまたリンク適合のために、従来のＥＧＰＲＳ  ＭＣＳ−７およびＭＣＳ−８を再使用するであろう。さらにＲＨ−Ｂはリンク適合のために、従来のＥＧＰＲＳ  ＭＣＳ−８、ならびにＲＨ−Ａ  ＤＡＳ−６、ＤＡＳ−９、およびＤＡＳ−１１を再使用するであろう。したがってＲＨ−Ａ  ＷＴＲＵは、｛ＭＣＳ−１〜ＭＣＳ−４、ＭＣＳ−７〜ＭＣＳ−８、およびＤＡＳ−５〜ＤＡＳ１２｝を支援することになり、そしてＲＨ−Ｂ  ＷＴＲＵは、｛ＭＣＳ−１〜ＭＣＳ−４、ＭＣＳ−８、ＤＡＳ−６、ＤＡＳ−９、ＤＡＳ−１１、およびＤＢＳ−５〜ＤＢＳ１２｝を支援することになる。しかしながらＲＨ−Ａ  ＷＴＲＵは、ＬＳＲ（Ｌｅｇａｃｙ（Ｌｏｗ）  ＥＧＰＲＳ  Ｓｙｍｂｏｌ  Ｒａｔｅ：従来（低速）のＥＧＰＲＳシンボル・レート）にて排他的に動作することになり、一方ＲＨ−Ｂ  ＷＴＲＵは、ＨＳＲ（Ｈｉｇｈｅｒ  Ｓｙｍｂｏｌ  Ｒａｔｅ：高速のシンボル・レート）にてのみ動作することが可能である。ＲＨ−Ｂ  ＷＴＲＵは、ＲＨ−ＡおよびＲＨ−Ｂ仕様による機能性を実施することを要求される。
【０００７】
ＲＥＤＨＯＴおよび／またはＨＵＧＥについては様々なレベルの動作が存在し、そこではＷＴＲＵおよびネットワークは、ＧＳＭの従来の送信レート（すなわち、２７１ｋＳｐｓ）に比較して、２０％だけ高いシンボル・レート（３２５ｋＳｐｓ）、したがって２０％だけ少ないシンボル持続時間にて動作することが可能である。しかしながらＧＳＭにおいて従来のシンボル・レート送信より高速で使用することは、送信パルス整形設計、帯域内（ＣＣＩ（Ｃｏ−Ｃｈａｎｎｅｌ  Ｉｎｔｅｒｆｅｒｅｎｃｅ：同一チャンネル干渉）および隣接周波数上（ＡＣＩ（Ａｄｊａｃｅｎｔ  Ｃｈａｎｎｅｌ  Ｉｎｔｅｒｆｅｒｅｎｃｅ：隣接チャンネル干渉））にて生成される干渉、受信機性能、および受信機等化器の複雑性に対して直接的因果関係を有する。
【０００８】
ＧＳＭ無線機器は伝統的に、線形のＧＭＳＫ（Ｇａｕｓｓｉａｎ  Ｍｉｎｉｍｕｍ  Ｓｈｉｆｔ  Ｋｅｙｉｎｇ：ガウス最小偏移変調）の２００ｋＨｚパルスを使用し、狭帯域のスペクトル・マスクが隣接するＧＳＭチャンネル（通常は＋／−２００ｋＨｚの倍数の）を保護するようにし、そして典型的な等化器長は５シンボルである。図１は、従来の線形のＧＭＳＫパルス１０２から生じるスペクトル・マスク１０１を示す。
【０００９】
ＲＥＤＨＯＴおよび／またはＨＵＧＥに対する設計過程の初期の段階の間に、ＨＳＲ（Ｈｉｇｈｅｒ  Ｓｙｍｂｏｌ  Ｒａｔｅ：高速のシンボル・レート）送信により従来と同じ線形ＧＭＳＫパルスを再使用すると、ＲＥＤＨＯＴおよび／またはＨＵＧＥに対して、送信の部分的な応答の挙動（より多くのシンボル間相関および干渉）の故に極めて不十分な性能をもたらすということが特定されている。また特に高速ピーク・レートに対して必要である１６−および３２−ＱＡＭ変調によって増加するピーク対平均の比率の故に、送信増幅器における高いバックオフ値が必要である。したがって、従来の線形ＧＭＳＫパルス・フィルター整形に対していくつかの広帯域（従来の線形ＧＭＳＫパルスと比較して）の選択肢が研究された。例えば、変動する通過帯域帯域幅２００ｋＨｚ、２４０ｋＨｚ、および３２５ｋＨｚでのロールオフ率０．３を有するＲＲＣ（Ｒｏｏｔ  Ｒａｉｓｅｄ  Ｃｏｓｉｎｅ）フィルターが研究された。図２は、従来の線形ＧＭＳＫパルス２０１の電力密度スペクトルを、曲線２０２として示された、３２５ｋＨｚ両側波帯を持つＲＲＣ０．３に対する広帯域フィルター・スペクトルと比較して示す。
【発明の概要】
【発明が解決しようとする課題】
【００１０】
使用される広帯域パルスに依り、ＲＥＤＨＯＴ／ＨＵＧＥ  ＨＳＲ送信モードに対するリンク性能は改良される。しかしながら、新しいパルスのはるかに広いスペクトル幅が隣接するチャンネルへの電力の漏洩（「干渉（ｉｎｔｅｒｆｅｒｅｎｃｅ）」）を著しく増加させるため、広帯域パルスは隣接するＧＳＭチャンネルに否定的に影響する（通常＋／−２００ｋＨｚの倍数にてオフセットして）。
【００１１】
ＨＳＲ送信に対して広帯域フィルターを使用すると、ＲＥＤＨＯＴおよびＨＵＧＥに対するスループット上の、および通信可能領域上の性能は著しく増加するが、より広いスペクトル・マスクの故のはるかに高いレベルの電力漏洩があるがために、隣接するＧＳＭチャンネルにおいて動作するＷＴＲＵの性能に有害である（図２を参照されたい）。現在使用中の従来のＧＳＭ機器にとっては問題はさらに深刻で、そこでは受信機設計に対してこの変化した干渉を考慮に入れるように再設計することができない。新たに設計された機器であっても、新しい種別の広帯域パルスの存在を考慮に入れると、隣接するチャンネル上にて経験される典型的なＳＩＲ（Ｓｉｇｎａｌ−ｔｏ−ｉｎｔｅｒｆｅｒｅｎｃｅ  Ｒａｔｉｏ：信号対干渉比）は大きく劣化することになり、そのためＲＥＤＨＯＴおよび／またはＨＵＧＥ送信に対してガード帯域として全周波数チャンネルを使用することができずに、このことが、得られる可能性のある利益を完全に否定し、かつＨＳＲに対して新しい種別の広帯域フィルターを使用することを廃れさせる。
【００１２】
１つの事業者のネットワークにおいてＷＴＲＵ（群）に割り付けられた１つまたは複数のチャンネルが、たまたま隣接していたり、または別の事業者のネットワークに接近し過ぎると、別の問題が発生する場合がある。そのような状況の下では、ＷＴＲＵが広帯域フィルターを使用することを許容するときに、使用するエネルギーが隣接するチャンネルに漏洩しないことを確実にするために、特別な注意が払われねばならない。近接する周波数または周波数の塊を事業者が持たない場合には、同様の、しかしいくらか異なった状況をもまた、認識可能である。
【００１３】
したがって、従来技術の制約なしでＲＥＤＨＯＴおよびＨＵＧＥを実施するための方法および装置が必要である。
【課題を解決するための手段】
【００１４】
２つ以上のパルス整形フィルターを使用する無線送信のための方法および装置が開示される。ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）およびネットワーク・エンティティは、狭帯域パルス整形フィルター、広帯域パルス整形フィルター、または両方を利用する能力がある。ネットワーク・エンティティおよび／またはＷＴＲＵは、使用されるべきパルス整形フィルターを選択し、そしてその選択を信号方式により送信する。この信号方式は、レイヤー２／３のメッセージを通して、またはＮＡＳ（Ｎｏｎ−Ａｃｃｅｓｓ  Ｓｔｒａｔｕｍ：非アクセス・ストレータム）信号方式メッセージを使用することにより実行することができる。
【００１５】
添付される図面に関連して例として与えられる以下の記述から、より詳細な理解を得ることができる。
【図面の簡単な説明】
【００１６】
【図１】従来の線形ＧＭＳＫパルス・スペクトルおよびＧＳＭの従来のスペクトル・マスクを示す図である。
【図２】ＲＲＣ０．３の３２５ｋＨｚに対する広帯域フィルター・スペクトルを従来の線形ＧＭＳＫパルスと比較して示す図である。
【図３】一例の無線通信システムを示す図である。
【図４】パルス波形フィルターを選択する開示された方法を実施するように構成された無線送受信ユニットの一例を示す図である。
【図５】適切なパルス波形を選択するための開示された方法に関するフロー図である。
【発明を実施するための形態】
【００１７】
用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」はこれ以後参照されると、限定的ではなく、ＵＥ（Ｕｓｅｒ  Ｅｑｕｉｐｍｅｎｔ：ユーザー機器）、移動局（ｍｏｂｉｌｅ  ｓｔａｔｉｏｎ）、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。これ以後参照されると、用語「基地局（ｂａｓｅ  ｓｔａｔｉｏｎ）」は、限定的ではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【００１８】
図３は、一例の無線通信ＮＷ（ＮｅｔＷｏｒｋ：ネットワーク）１０を示し、ＷＴＲＵ２０と、１つまたは複数のネットワーク機器３０、例えばノードＢと、１つまたは複数のセル４０とを具備する。それぞれのセル４０は、１つまたは複数のノードＢ（ＮＢまたはｅＮＢ）３０を具備する。ＷＴＲＵ２０ネットワーク機器３０は、開示されたパルス波形選択方法を実施するように構成される。
【００１９】
開示された方法および装置によると、ＷＴＲＵ２０およびネットワーク機器３０は狭帯域パルス整形フィルター（すなわち、従来の線形ＧＭＳＫ（Ｇａｕｓｓｉａｎ  Ｍｉｎｉｍｕｍ  Ｓｈｉｆｔ  Ｋｅｙｉｎｇ：ガウス最小偏移変調）パルス整形フィルター）、および広帯域パルス整形フィルター、またはそれらの片方を実施することができる。
【００２０】
図４は、ＷＴＲＵ２０の機能的ブロック図の一例である。ＷＴＲＵ２０は、典型的な送受信機に含まれる構成要素に加えて以下で開示されるように、パルス波形選択を実行するように構成された処理装置１２５を含む。無線データの送信および受信を容易にするために、受信機１２６は処理装置１２５と通信状態にあり、送信機１２７は処理装置１２５と通信状態にあり、そしてアンテナ１２８は受信機１２６および送信機１２７と通信状態にある。
【００２１】
ＷＴＲＵ２０の送信機１２７は望ましくは、ＲＬＣ／ＭＡＣ（Ｒａｄｉｏ  Ｌｉｎｋ  Ｃｏｎｔｒｏｌ／Ｍｅｄｉｕｍ  Ａｃｃｅｓｓ  Ｃｏｎｔｒｏｌ：無線リンク制御／媒体アクセス制御）により使用されるそれらのコマンドなどの、Ｌ２／Ｌ３（Ｌａｙｅｒ２  ａｎｄ  Ｌａｙｅｒ３：レイヤー２およびレイヤー３）メッセージに含まれるパルス能力信号を送信するように構成される。パルス能力信号はまた、ＮＡＳ（Ｎｏｎ−Ａｃｃｅｓｓ  Ｓｔｒａｔｕｍ：非アクセス・ストレータム）信号方式メッセージ中に含まれる場合がある（ＷＴＲＵおよび、ＧＳＮ（ＧＰＲＳ  Ｓｕｐｐｏｒｔ  Ｎｏｄｅ：ＧＰＲＳ支援ノード）などのＣＮ（Ｃｏｒｅ  Ｎｅｔｗｏｒｋ：コア・ネットワーク）ノードの間で一般的に使用されるように）。パルス能力信号は、ＷＴＲＵ２０および／またはネットワーク機器３０によって使用され、どの特定のパルス整形フィルターまたはパルスがＷＴＲＵ２０またはネットワーク機器３０によって支援されるかに関する情報を交換する。
【００２２】
表されるように、ＷＴＲＵ２０は自身が実施するパルス・フィルター種別を、上記のメッセージ中に含まれる能力メッセージまたはＩＥ（Ｉｎｆｏｒｍａｔｉｏｎ  Ｅｌｅｍｅｎｔ：情報要素）においてＢＳＳ（Ｂａｓｅ  Ｓｔａｔｉｏｎ  Ｓｙｓｔｅｍ：基地局システム）および／またはＧＳＮ３０に送信する。例えばＷＴＲＵ２０がそのパルス波形実施方法（群）および能力群をネットワーク１０に信号送出するために、パルス種別信号は例えば以下のＩＥの内の１つの、現在のＩＥの拡張または修正版である場合がある：
（１）ＷＴＲＵ  Ｃｌａｓｓｍａｒｋ（クラスマーク）ＩＥ（種別１、２、または３で有る可能性がある）；
（２）ＷＴＲＵ  Ｒａｄｉｏ  Ａｃｃｅｓｓ  Ｃａｐａｂｉｌｉｔｙ（無線アクセス能力）ＩＥ、またＭＳ  ＲＡＣとも称される；
または
（３）ＷＴＲＵ  Ｎｅｔｗｏｒｋ  Ｃａｐａｂｉｌｉｔｙ（ネットワーク能力）ＩＥ、またＭＳ  ＮＷ  Ｃａｐａｂｉｌｉｔｙとも称される。
そのようにして、ＷＴＲＵ２０はネットワーク１０に接続する際に、もしくはＷＴＲＵ２０がネットワーク１０に登録する時または通信処理の間の何れかの時点にて、パルス能力信号を送信することができる。
【００２３】
ＷＴＲＵ２０からのパルス能力信号が、それが支援可能なパルス・フィルターの特定の種別、またはそれが支援可能なパルス・フィルター種別の数、または同様のものを含むことができることを注意するべきである。またＷＴＲＵが支援するパルス・フィルター種別（群）は、１つまたは複数のＷＴＲＵのクラス（群）（例えば、ＲＥＤＨＯＴ−Ｂ、ＨＵＧＥ−Ｂ、またはＨＵＧＥ−Ｃの能力があり、したがって、両方の種別を実施することができるということ）、または実施される能力の集合と関連付けて黙示的に信号送出することができる。例えばＷＴＲＵ２０がＨＵＧＥ−Ｂを支援するなら、ＷＴＲＵはまた、広帯域フィルターをも支援する。これもまた以下に開示されるべき、要求された（ｍａｎｄａｔｅｄ）規則である可能性がある。
【００２４】
ＷＴＲＵ２０は、この能力情報（「どのパルス種別（群）が支援されるか」）を能力メッセージ交換（例えば、添付の要求メッセージにおけるＭＳ  ＲＡＣ  ＩＥ  ｓｎｅｔ）を通して、またはＣｌａｓｓｍａｒｋ  Ｅｎｑｕｉｒｙ／Ｃｈａｎｇｅ（クラスマーク問い合わせ／変更）に続けて送る。従来のパルスに対して広帯域パルスを選択することに影響を与える要因をネットワーク１０側が通常知っているため、ＷＴＲＵ２０は適当なフィルターを自由に選択することはできない。従ってＷＴＲＵ２０の処理装置１２５は、ネットワーク１０から受信された信号方式に対して条件とされる送信パルス種別をＷＴＲＵ２０が選択するように明確に要求する規則を実施することができる。
【００２５】
処理装置１２５における規則は、既定の（ｄｅｆａｕｌｔ）規則を含むことができる。例えばネットワークからの信号方式がこの可能性を明確に許可していないなら、従来のパルスまたは新しいパルスが使用されねばならない。別の可能な既定の規則は、ＷＴＲＵ２０の処理装置１２５において、システムまたはネットワークの（再）選択処理の間に、ネットワーク、セル、領域、またはその組み合わせに関する情報を格納すること、およびこの情報を評価することに関する。例えば格納された情報が「ネットワークＸが、従来のパルス専用」ということを含む場合には、ＷＴＲＵ２０の処理装置１２５は、ＷＴＲＵ２０がネットワークＸに関連付けられている間は、広帯域パルスの使用を回避する手順を実施する。
【００２６】
別の既定の規則の例は、ある種別の送信、例えばあるＲＬＣ／ＭＡＣ制御ブロックが、それらのシステムの重大な性能の故に広帯域パルスを使用することを除外することができる。ＷＴＲＵ２０の処理装置１２５はしたがって、その送信の特定の特性に関して従来のパルスを使用することを条件とする規則を実施することができ、例えばＵＬ（ＵｐＬｉｎｋ：アップリンク）においてそれがＲＬＣ／ＭＡＣ制御ブロックのある種別を送るよう意図する場合に、処理装置１２５中の論理は、その時点でＷＴＲＵ２０において許容されまたは構成設定されている他の構成設定に関係なく、ＷＴＲＵ２０が従来のパルスを使用するよう強制する。
【００２７】
この開示された方法によるとネットワーク１０は、特定のパルス種別が、ある周波数、チャンネル、タイムスロット、セル、セクター、またはグループ、定義済みの通信範囲領域、および以下に挙げた他の条件において、使用可能であるかまたは使用することを禁止されるべきであるか、を判定するための手順（群）を実施する。例えば基地局３０すなわち基地局制御装置は、起動時、接続時、時折、またはイベントの特定の発生の後の何れかに、その時点に広帯域パルスの使用を許容するかまたは禁止するであろう条件があるか、またはある周波数、チャンネル、セル、セクター、タイムスロット、または同様のものについてのある送信に対して従来のパルスが選ばれねばならないか、を判定するために、ネットワーク１０における無線の状態を評価する。条件には以下を含むことができる：すなわち、
（１）干渉または電力レベルの、最小、最大、平均、派生的統計値；
（２）その時点の、告げられた、または予期されるチャンネル割り付けの関数として；
（３）報告された、または間接的に派生した測定値または品質指標の関数として；
（４）統計的なモデルによって獲得された出力；または
（５）以上の任意の組み合わせから。
【００２８】
これらの要因を判定するネットワーク・ノードは次に進み、そして他のネットワーク・ノードを構成設定することができる。同じノードまたは他のノードの何れかが順に、そのノードにおいて信号処理エンティティを構成設定し、そして／またはＷＴＲＵ２０をその送信のために遠隔にて構成設定することができる。あるいは、パルス種別の判定、およびプロトコル・メッセージを通したＷＴＲＵ２０への信号送出は、ネットワーク・ノードの組み合わせにて生起する場合がある。例えば基地局制御装置は、ある周波数またはチャンネル上にて特定のＷＴＲＵへのＤＬ（ＤｏｗｎＬｉｎｋ：ダウンリンク）送信に対して基地局が特定のパルス種別を使用するように構成設定することができる。ネットワーク機器３０は、使用される信号方式メッセージに依って、ＷＴＲＵ２０によって支援されるパルス種別について関連するＷＴＲＵ情報を他のネットワーク・ノードに転送することができる。例えばパルス種別の新しい情報を含むＷＴＲＵ  ＲＡＣ情報が、ＢＳＳに転送され、特定のＷＴＲＵに対して適切なシステム動作を可能とすることができる。
【００２９】
パルス選択表示子はＧＳＭネットワーク・ノードによって使用され、使用されるまたはその時点で使用中である特定のパルス形体（pulse form）について、ＷＴＲＵ、ＷＴＲＵのグループに知らしめ、１つまたは複数のセル、セクター、部分または全体の通信可能領域を構成設定し、または特定のパルス波形の使用を要求することができる。パルス選択表示子は、ＷＴＲＵおよび／またはネットワーク機器におけるパルス形体またはパルス波形フィルターの使用を明確に可能とすることができる。ＤＬ送信に対して基地局３０から来ると予想するべきパルス形体についての情報を、ＷＴＲＵ２０に提供するために信号送出する場合には、ＲＥＤＨＯＴ送信を復号化する処理においてＧＳＭ信号方式がＷＴＲＵ２０を補助する。ＵＬ送信に対して信号送出する場合には、ＨＵＧＥ送信に対する領域の、ＷＴＲＵ、ＷＴＲＵのグループ、またはすべてのＷＴＲＵによってそのパルス形体を使用するように、この信号方式が要求する。開示された信号方式は、あるパルス波形が送信に対して許容されるか、禁止されるか、使用中か、使用中でないかに関する情報を具備する。この情報は、ネットワークの全体、１つまたは複数の特定のセルまたはセクター内、またはネットワークの何れかの部分に関し；特定のＷＴＲＵ、必ずしも同一セル内ではないＷＴＲＵのグループまたはすべてのＷＴＲＵに対して；時間期間（指定された時間量、または送信期間、…）に対して；
１つまたは複数の、最大または最小干渉レベル、信号方式強度トリガー、受信信号方式メッセージのような、説明済みの条件が発生しているか、していないかにより；ある周波数および／またはチャンネル、またはその集合に対して、有効であるか、有効でないか、または制約がないかにより；特定のタイムスロット、リソース配分、ＰＤＣＨに対して；広いフィルターの使用がある周波数上で制限される場合に、Ｆｒｅｑｕｅｎｃｙ  Ｈｏｐｐｉｎｇ（周波数ホッピング）パラメータを使用して配分されたリソースに対して；ＤＬ送信に対し、またはＵＬ送信に対し、または両方に対して適切であるなら；最初または再送信に対して使用される変調および符号化方式のような制約を受けることがあるかにより；または以上の任意の組み合わせによる場合がある。
【００３０】
開示された方法によると、ＷＴＲＵ２０は、ＵＬにおいて使用可能なのは何れのパルス種別であるか、ＤＬにおける通信処理において何れのパルス種別が使用されるか、およびＤＬに対して、ＵＬに対して、または両方に対しての何れかで、特定のパルス種別の使用環境条件、の内の何れか１つまたは複数を含むパルス選択表示子中の情報を受け取る。この情報は、ＧＳＭ／ＧＰＲＳ／ＥＧＰＲＳブロードキャスト・チャンネル（例えばＢＣＣＨ（Ｂｒｏａｄｃａｓｔ  Ｃｏｎｔｒｏｌ  Ｃｈａｎｎｅｌ：ブロードキャスト制御チャンネル、（Ｐ）ＢＣＣＨなど）を通してＷＴＲＵ２０に分配することができる。
【００３１】
上で示されるようにネットワーク１０は、ＧＳＭ信号方式において使用される任意のメッセージ、例えばＴＢＦ（Ｔｅｍｐｏｒａｒｙ  Ｂｌｏｃｋ  Ｆｌｏｗ：一時的ブロック・フロー）配分、再配分、ハンドオーバー・コマンド、割り付けメッセージ、または同様のものを通して、動作の間に使用されるべき許容されるフィルター（群）をＷＴＲＵ２０に送信する。これらのメッセージはネットワーク１０によって使用され、１つまたは複数のＷＴＲＵに対して、ＤＬ送信に対して選択されるまたは許容されるパルス種別、これは復号化処理においてＷＴＲＵにより使用されるものであるが、またはＷＴＲＵのＵＬ送信のためのパルス種別を表す。ＤＬおよびＵＬについての情報は同じメッセージの部分として送ることは必要ではなく、そしてしたがって別々に送り、かつ構成設定することができることに注意するべきである。
【００３２】
使用することができるメッセージは、限定的ではなく、初期のＴＢＦ配分メッセージを含む。しかしながらネットワーク１０は、その後の例えば以下に記載されるＴＢＦ関連のメッセージ中で、またはＡＣＫ（ｐｏｓｉｔｉｖｅ  ＡＣＫｎｏｗｌｅｄｇｅｍｅｎｔ：肯定応答）／ＮＡＣＫ（Ｎｅｇａｔｉｖｅ  ＡＣＫｎｏｗｌｅｄｇｅｍｅｎｔ：否定応答）型のＲＬＣ／ＭＡＣ制御ブロック（例えば、パケットＵＬ  ＡＣＫ／ＮＡＣＫ）を使用することによって、送られたパルス波形情報を修正する能力を有する。ＴＢＦ関連メッセージの例には、限定的ではなく、ＰＡＣＫＥＴ  ＤＯＷＮＬＩＮＫ  ＡＳＳＩＧＮＭＥＮＴ（パケット・ダウンリンク割り付け）、ＭＵＬＴＩＰＬＥ  ＴＢＦ  ＤＯＷＮＬＩＮＫ  ＡＳＳＩＧＮＭＥＮＴ（多ＴＢＦダウンリンク割り付け）、ＰＡＣＫＥＴ  ＵＰＬＩＮＫ ＡＳＳＩＧＮＭＥＮＴ（パケット・アップリンク割り付け）、ＭＵＬＴＩＰＬＥ  ＴＢＦ  ＵＰＬＩＮＫ  ＡＳＳＩＧＮＭＥＮＴ（多ＴＢＦアップリンク割り付け）、ＰＡＣＫＥＴ  ＴＩＭＥＳＬＯＴ  ＲＥＣＯＮＦＩＧＵＲＥ（パケット・タイムスロット再構成）、ＭＵＬＴＩＰＬＥ  ＴＢＦ  ＴＩＭＥＳＬＯＴ  ＲＥＣＯＮＦＩＧＵＲＥ（多ＴＢＦタイムスロット再構成）、またはＰＡＣＫＥＴ  ＣＳ  ＲＥＬＥＡＳＥ  ＩＮＤＩＣＡＴＩＯＮ（パケットＣＳ解放表示）メッセージが含まれる。
【００３３】
図５は、適切なパルス波形を選択するための開示された方法のフロー図を示す。ＷＴＲＵ２０は、ネットワーク１０に接続する（ステップ５００）。ネットワーク１０は、接続されたＢＳＳ３０または任意のネットワーク機器を使用してＷＴＲＵ２０にパルス波形情報を送信する（ステップ５０１）。ＷＴＲＵ２０は、そのパルス波形情報を受け取り（ステップ５０２）、そしてＷＴＲＵ２０の処理装置１２５は適切なパルス波形フィルターを決定する（ステップ５０３）。処理装置１２５が適切なパルス波形フィルターを決定すると、それに応じてそのパルス波形フィルターがＷＴＲＵ２０に対して設定される（ステップ５０４）。
【００３４】
１つの広帯域パルスについて議論したが、ネットワークにおいては複数の広帯域パルスをも実施できることに注意するべきである。このようにして上で開示されたように、ＷＴＲＵはネットワークにおいて存在する任意のパルス形体に関する自身の能力を信号送出するであろうし、そして適切なパルス形体、またはパルス波形フィルターが選択されることになる。
【００３５】
代替の方法においてパルス波形情報は、無線バーストまたは無線ブロック中のビットまたはシンボル・フィールドを通して信号送出すること、またはデータ・ブロックのＲＬＣ／ＭＡＣヘッダー部分に含むことが可能である。このようにしてネットワークは同じ送信の部分として、１つまたは複数の何れかのＷＴＲＵに対して、または１つまたは複数のタイムスロット、チャンネル、またはセル、セクター、またはそれらの組み合わせに対して許容された、または禁止されたパルス種別を信号送出することができる。例えば、特別な信号方式フレーム、もしくはバーストまたはブロックまたはＲＬＣ／ＭＡＣメッセージがこの情報を含むであろう。
【００３６】
さらに別の代替において、ネットワークがＤＬパルス種別および／またはＵＬパルス種別についての情報を送る信号方式は、ＮＡＳ信号方式プロトコル・メッセージの新しい部分または拡張などの、ＧＳＮ−ＷＴＲＵ信号方式を通して実現することができる。
【００３７】
実施形態
１．ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）において実施される方法であって、
前記ＷＴＲＵによって支援されるパルス形体またはパルス波形フィルターの表示を含むパルス能力信号を送信するステップと、
割り付けメッセージを受け取るステップであって、前記割り付けメッセージが、前記ＷＴＲＵによって使用されるべき前記パルス形体またはパルス波形フィルターの表示を含むことと
を具備することを特徴とする方法。
２．前記割り付けメッセージが、前記ＷＴＲＵによって使用されるべき前記パルス形体またはパルス波形フィルターを表すためのパルス選択表示子を含むことを特徴とする実施形態１に記載の方法。
３．前記パルス選択表示子が、情報要素中に含まれることを特徴とする実施形態２に記載の方法。
４．前記割り付けメッセージが、前記情報要素を含むことを特徴とする実施形態１〜３の何れかに記載の方法。
５．前記情報要素が前記割り付けメッセージ中に存在しないときに、前記ＷＴＲＵによる使用のための前記適切なパルス形体またはパルス波形フィルターが黙示的に表されることを特徴とする実施形態１〜４の何れかに記載の方法。
６．少なくとも部分的には前記受け取られた割り付けメッセージに基づき前記パルス形体またはパルス波形フィルターを選択するステップをさらに具備することを特徴とする実施形態１〜５の何れかに記載の方法。
７．前記選択が、定義されたＷＴＲＵ規則に従って為されることを特徴とする実施形態６に記載の方法。
８．前記割り付けメッセージに対する前記信号方式が、レイヤー２またはレイヤー３メッセージを通して実行されることを特徴とする実施形態１〜７の何れかに記載の方法。
９．前記割り付けメッセージに対する信号方式が、ＮＡＳ（Ｎｏｎ−Ａｃｃｅｓｓ  Ｓｔｒａｔｕｍ：非アクセス・ストレータム）信号方式メッセージを使用して実行されることを特徴とする実施形態１〜７の何れかに記載の方法。
１０．前記パルス能力表示子が、ネットワークへの接続の際に送信されることを特徴とする実施形態１〜８の何れかに記載の方法。
１１．前記パルス能力表示子が、ネットワークへの登録の際に送信されることを特徴とする実施形態１〜９の何れかに記載の方法。
１２．前記パルス能力表示子が、前記ネットワークにおいてネットワーク機器と通信する間に送信されることを特徴とする実施形態１〜１０の何れかに記載の方法。
１３．前記選択されたパルス形体またはパルス波形フィルターが、部分的には前記ＷＴＲＵに基づき選択されることを特徴とする実施形態１〜１２の何れかに記載の方法。
１４．実施形態１〜１３の何れかに記載の方法を実施するように構成されることを特徴とするＷＴＲＵ（Ｗｉｒｅｌｅｓｓ  Ｔｒａｎｓｍｉｔ／Ｒｅｃｅｉｖｅ  Ｕｎｉｔ：無線送受信ユニット）。
１５．実施形態１〜１３の何れかに記載の処理を実施するように構成されることを特徴とする基地局。
１６．実施形態１〜１３の何れかに記載の処理を実施するように構成されることを特徴とするネットワーク・エンティティ。
１７．実施形態１〜１３の何れかに記載の方法を実施するように構成されることを特徴とする無線通信システム。
１８．実施形態１〜１３の何れかに記載の方法を実施するように構成されることを特徴とするＩＣ（Ｉｎｔｅｇｒａｔｅｄ  Ｃｉｒｃｕｉｔ：集積回路）。
【００３８】
特徴および要素が上で特定の組み合わせにて記述されているが、それぞれの特徴または要素は、他の特徴および要素なしで単独にて、または他の特徴および要素のあるなしに拘わらず様々な組み合わせにて使用可能である。ここに提供される方法またはフロー図は、汎用目的のコンピューターまたは処理装置による実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００３９】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００４０】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー機器）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールまたはＵＷＢ（Ｕｌｔｒａ  Ｗｉｄｅ  Ｂａｎｄ：超広帯域）モジュールなどのモジュールと連動して使用することができる。
【図１】
2014168302.tif 000003
【図２】
2014168302.tif 000004
【図３】
2014168302.tif 000005
【図４】
2014168302.tif 000006
【図５】
2014168302.tif 000007